(57)【特許請求の範囲】
【請求項１】
ホワイトバランス調整方法であって、
カスタム色温度値選択ボックスを表示することと、
前記カスタム色温度値選択ボックスによって限定されたスクリーン領域を検出することと、
前記スクリーン領域の画像の色温度値を取得することと、
前記色温度値と予め設定されたアルゴリズムに基づいてホワイトバランスを調整することとを含み、
前記カスタム色温度値選択ボックスが複数である場合、複数の前記選択ボックスによって限定されたスクリーン領域の画像の色温度値の平均値または重み付き平均値を計算し、
前記色温度値の平均値または重み付き平均値と予め設定されたアルゴリズムに基づいてホワイトバランスを調整する、ホワイトバランス調整方法。
【請求項２】
前記色温度値と予め設定されたアルゴリズムに基づいてホワイトバランスを調整した後、調整されたホワイトバランスをロックすることをさらに含むことを特徴とする、
請求項１に記載のホワイトバランス調整方法。
【発明の詳細な説明】
【技術分野】
【０００１】
本発明は、撮影技術分野に関し、特にホワイトバランス調整方法および装置に関する。
【背景技術】
【０００２】
撮影装置は、写真を撮影する場合、よい撮影効果を取得するようにホワイトバランスを調整する必要がある。現在、社会の発展がますます多様化になり、ユーザは、写真を撮影し、または撮影作品作成を行う場合に、自分の要求に応じて非常にパーソナライズされた、様々な効果を奏することができる作品を撮影することを望む。しかしながら、従来のホワイトバランス調整方法は、通常、自動調整モードと予め設定された環境調整モードを含み、自動調整モードが外部環境の変化に応じて自動的にホワイトバランス調整を行い、ユーザは、介入できなく、予め設定された環境調整モードが白熱光、曇り、蛍光などの他の限定された数の環境モードのみを提供する。そのため、非常にパーソナライズされた、多様性の撮影作品を撮影できなく、ユーザのパーソナライズ需要を満たすことができない。
【発明の概要】
【発明が解決しようとする課題】
【０００３】
本発明の主な目的は、ユーザのパーソナライズ需要を満たし、パーソナライズされた撮影作品を撮影するように、ホワイトバランス調整方法および装置を提供することにある。
【課題を解決するための手段】
【０００４】
前記目的を達成するために、本発明によるホワイトバランス調整方法は、
ユーザのカスタム色温度値を取得することと、
前記色温度値と予め設定されたアルゴリズムに基づいてホワイトバランスを調整することとを含む。
【０００５】
好ましくは、前記ユーザのカスタム色温度値を取得することは、
カスタム色温度値入力インターフェイスを表示し、
ユーザが前記カスタム色温度値入力インターフェイスに入力した色温度値を取得することを含む。
【０００６】
好ましくは、前記ユーザのカスタム色温度値を取得することは、
カスタム色温度値選択ボックスを表示し、
前記カスタム色温度値選択ボックスによって限定されたスクリーン領域を検出し、
前記スクリーン領域の画像の色温度値を取得することを含む。
【０００７】
好ましくは、前記ユーザのカスタム色温度値を取得することは、
カスタム色温度値選択ボックスを表示し、
前記カスタム色温度値選択ボックスの内部および外部のスクリーン領域を検出し、
前記カスタム色温度値選択ボックスの内部および外部のスクリーン領域の画像の色温度値の重み付き平均値を取得することを含む。
【０００８】
好ましくは、前記色温度値と予め設定されたアルゴリズムに基づいてホワイトバランスを調整した後、調整されたホワイトバランスをロックすることをさらに含む。
【０００９】
好ましくは、前記ユーザのカスタム色温度値を取得するステップの前に、ホワイトバランスの精度をキャリブレートすることをさらに含む。
【００１０】
本発明によるホワイトバランス調整方法は、
カスタム色温度値選択ボックスを表示することと、
前記カスタム色温度値選択ボックスによって限定されたスクリーン領域を検出することと、
前記スクリーン領域の画像の色温度値を取得することと、
前記色温度値と予め設定されたアルゴリズムに基づいてホワイトバランスを調整することとを含む。
【００１１】
同時に、本発明によるホワイトバランス調整装置は、
ユーザのカスタム色温度値を取得するように設定される取得モジュールと、
前記色温度値と予め設定されたアルゴリズムに基づいてホワイトバランスを調整するように設定される調整モジュールとを含む。
【００１２】
好ましくは、前記取得モジュールは、
カスタム色温度値入力インターフェイスを表示するように設定される表示ユニットと、
ユーザが前記カスタム色温度値入力インターフェイスに入力した色温度値を検出するように設定される検出ユニットとを含む。
【００１３】
好ましくは、前記取得モジュールは、
カスタム色温度値選択ボックスを表示するように設定される表示ユニットと、
前記カスタム色温度値選択ボックスによって限定されたスクリーン領域を検出し、前記スクリーン領域の画像の色温度値を取得するように設定される検出ユニットとを含む。
【００１４】
好ましくは、前記取得モジュールは、
カスタム色温度値選択ボックスを表示するように設定される表示ユニットと、
前記カスタム色温度値選択ボックスの内部および外部のスクリーン領域を検出し、前記カスタム色温度値選択ボックスの内部および外部のスクリーン領域の画像の色温度値の重み付き平均値を取得するように設定される検出ユニットとを含む。
【００１５】
好ましくは、前記調整モジュールは、調整されたホワイトバランスをロックするように設定される。
【００１６】
好ましくは、前記ホワイトバランス調整装置は、ホワイトバランスの精度をキャリブレートするように設定されるキャリブレートモジュールをさらに含む。
【００１７】
本発明によるホワイトバランス調整方法において、ユーザのカスタム色温度値を取得し、ユーザのカスタム色温度値に基づいてホワイトバランスを調整することにより、ユーザが自分の好みに応じて様々なホワイトバランス効果を調整し、さらにパーソナライズされた、様々な効果を有する撮影作品を撮影することができ、ユーザのパーソナライズ需要を満たす。ユーザは、さらに現在の調整されたホワイトバランスをロックし、当該ホワイトバランスを自動的に他の撮影環境に応用することができ、さらに特殊な写真効果を取得することができ、これにより、ユーザが自分の需要に応じて独特の芸術的効果を有する撮影作品を取得することができ、ユーザ体験を大幅に向上させる。
【図面の簡単な説明】
【００１８】
【図１】本発明によるホワイトバランス調整方法の第一の実施形態のフローチャートである。
【図２】本発明における手動モードでホワイトバランスを調整するインターフェイスを示す図である。
【図３】本発明のホワイトバランス調整方法の第二の実施形態のフローチャートである。
【図４】本発明におけるスポット測定モードでホワイトバランスを調整するインターフェイスを示す図である。
【図５】本発明におけるホワイトバランスの精度をキャリブレートするインターフェイスを示す図である。
【図６】本発明によるホワイトバランス調整装置の一つの実施形態の構成ブロック図である。
【図７】図６における取得モジュールの構成ブロック図である。
【発明を実施するための形態】
【００１９】
本発明の目的の実現、機能特徴および利点を、実施形態と組み合わせて図面を参照してさらに説明する。
ここで記載される具体的な実施形態は、本発明を解釈するためのものだけであるが、本発明を限定することに用いられるものではない。
【００２０】
図１を参照し、本発明によるホワイトバランス調整方法の第一の実施形態が提案される。前記ホワイトバランス調整方法は、撮影装置、例えば携帯電話、カメラ、タブレットコンピュータなどに応用される。前記ホワイトバランス調整方法は、以下のステップを含む。
【００２１】
ステップＳ１０１において、ユーザは、手動モードを選択してホワイトバランスを調整する。
【００２２】
図２に示すように、撮影装置は、ホワイトバランス調整インターフェイスに入った後、ユーザが選択するように様々なホワイトバランス調整モードを表示し、自動調整モード、予め設定された環境モードとユーザのカスタムモードを含む。自動調整モードと予め設定された環境モードは、従来技術における一般的なモードであり、予め設定された環境モードが白熱光モード、日光モード、蛍光モードと曇りモードを含む。ユーザのカスタムモードは、スポット測定モードと手動モードを含み、ユーザが自分で特定の色温度値を入力してホワイトバランスを調整することを許可する。ユーザは、手動ボタンをタッチまたはクリックして手動モードを選択する。
【００２３】
Ｓ１０２において、撮影装置は、カスタム色温度値入力インターフェイスを表示する。
【００２４】
ユーザが手動モードを選択した後、撮影装置は、すぐにカスタム色温度値入力インターフェイスを表示する。図２に示すように、前記カスタム色温度値入力インターフェイスは、色温度調整プログレスバーである。いくつかの実施形態において、カスタム色温度値入力インターフェイスは、色温度値入力ボックスであってもよい。
【００２５】
ステップＳ１０３において、撮影装置は、ユーザがカスタム色温度値入力インターフェイスに入力した色温度値を取得する。
【００２６】
カスタム色温度値入力インターフェイスが色温度調整プログレスバーである場合、ユーザは、プログレスバーにおけるボタンを引いて色温度値を増減し、またはプログレスバーのある位置をタッチまたはクリックして色温度値を選択することができる。カスタム色温度値入力インターフェイスが色温度値入力ボックスである場合、ユーザは、直接に入力ボックスに色温度値を入力することができる。撮影装置は、瞬時にユーザより入力された色温度値を取得する。
【００２７】
ステップＳ１０４において、撮影装置は、ユーザより入力された色温度値と予め設定されたアルゴリズムに基づいてホワイトバランスを調整する。
【００２８】
撮影装置は、ユーザのカスタム色温度を基準色温度とし、予め設定されたアルゴリズムに基づいてホワイトバランスを調整する。本分野の当業者は、前記予め設定されたアルゴリズムが従来技術におけるホワイトバランス調整を行う一般的なアルゴリズムであってよいことを理解でき、ここで説明は省略する。それによって、ユーザは、自分の好みに応じて様々なホワイトバランス効果を調整し、さらに様々な効果がある撮影作品を撮影することができる。
【００２９】
図２を参照し、本発明によるホワイトバランス調整方法による第二の実施形態が提案され、前記ホワイトバランス調整方法が以下のステップを含む。
【００３０】
ステップＳ２０１において、ユーザは、スポット測定モードを選択してホワイトバランスを調整する。
【００３１】
図４に示すように、ユーザは、スポット測定ボタンをタッチまたはクリックしてスポット測定モードを選択してホワイトバランスを定義して調整する。
【００３２】
ステップＳ２０２において、撮影装置は、カスタム色温度値選択ボックスを表示する。
【００３３】
撮影装置は、すぐに画像プレビューウィンドウでカスタム色温度値選択ボックスを表示し、図示される選択ボックスがひし形を呈し、円形、多角形、三角形、矩形などの形状を呈することもできる。ユーザは、選択ボックス全体をドラッグしてプレビューウィンドウで移動して選択領域を変更することができ、選択ボックスのサイズを変更して選択領域を大きくまたは小さくすることもできる。
【００３４】
ステップＳ２０３において、撮影装置は、カスタム色温度値選択ボックスによって限定されたスクリーン領域を検出する。
【００３５】
ステップＳ２０４において、撮影装置は、カスタム色温度値選択ボックスによって限定されたスクリーン領域の画像の色温度値を取得する。
【００３６】
プレビューウィンドウが撮影装置により撮影された景色のプレビュー画像を表示する。本発明は、ユーザがカスタム色温度値選択ボックスを介してプレビュー画像におけるある部分の画像を選択し、選択された部分の画像の色温度値を取得することを許可する。いくつかの実施形態において、撮影装置は、ローカルに記憶されたピクチャーをプレビューウィンドウに呼び出してユーザによってピクチャーにおける一部の画像の色温度値を選択することもできる。カスタム色温度値選択ボックスが複数である場合、複数の選択ボックスによって限定されたスクリーン領域の画像の色温度値を総合的に計算し、例えばそれらの平均値または重み付き平均値を計算する。
【００３７】
ステップＳ２０５において、撮影装置は、取得された色温度値と予め設定されたアルゴリズムに基づいてホワイトバランスを調整する。
【００３８】
撮影装置は、選択された部分の画像の色温度値を取得した後、当該色温度値を撮影されたプレビュー画像全体に応用し、プレビュー画像全体としてホワイトバランスの基準色温度を調整し、さらに予め設定されたアルゴリズムに基づいてホワイトバランスを調整する。それによって、ユーザは、様々な効果がある撮影作品を取得することができる。
【００３９】
例えば、撮影されたプレビュー画像に一つの黄色の花があり、ユーザは、スクリーンにカスタム色温度値選択ボックスを移動して黄色の花を選択し、それによって黄色の花の色温度値を取得する。当該黄色の花の色温度値を撮影されたプレビュー画像全体に応用し、プレビュー画像全体としてホワイトバランスの基準色温度値を調整し、さらに予め設定されたアルゴリズムに基づいてホワイトバランスを調整する。
【００４０】
ステップＳ２０６において、撮影装置は、調整されたホワイトバランスをロックする。
【００４１】
ホワイトバランス調整が完了された後、ユーザは、現在のホワイトバランス効果を非常に満足し、さらに現在の調整されたホワイトバランスの値をロックすることができ、撮影装置が当該ホワイトバランスを記憶し、自動的に他の撮影環境に応用し、これにより、ホワイトバランスが環境変化に伴って変化しない。ホワイトバランスロック機能により、特殊な写真効果を取得でき、ユーザは、自分の需要に応じて独特の芸術的効果がある撮影作品を取得することができる。
【００４２】
例えば、ユーザは、自動モード、予め設定された環境モードまたはユーザのカスタムモードにより低色温度（例えば２７００Ｋ）環境に対応するホワイトバランス値を取得した後、当該ホワイトバランス値をロックし、その後撮影装置を中間色温度（５０００Ｋ）環境に移動して撮影すると、画像効果が冷たい撮影作品を撮影できる。
【００４３】
外部の複雑な環境要因の影響を受けるので、撮影装置のホワイトバランスの精度は、ある時に精確ではないので、前記第一、第二の実施形態において、自動的にホワイトバランスを調整する前に、ホワイトバランスの精度をキャリブレートすることができる。図５に示すように、測定ボタンをタッチまたはクリックした後、撮影装置のレンズを白い紙、グレーカードまたは白い物体にアラインメントさせ、その後プレビューウィンドウからポップアップされた測定ボタンをクリックし、撮影装置がすぐにホワイトバランスの精度をキャリブレートする。このように調整されたホワイトバランスがより正確であり、撮影効果がより良い。
【００４４】
いくつかの実施形態において、ユーザがカスタム色温度値選択ボックスを介してスクリーンのある領域を選択した場合、撮影装置は、カスタム色温度値選択ボックスによって限定された領域と選択ボックス以外の領域の画像の色温度値を総合的に計算し、例えばカスタム色温度値選択ボックスの内部および外部のスクリーン領域の画像の色温度値の平均値または重み付き平均値を取得する。例えば、カスタム色温度値選択ボックスによって限定された領域の画像の色温度値をＡに設定し、他の領域の画像の色温度値をＢに設定すると、ＡとＢにより総合的な色温度値Ｍを取得し、Ｍ＝αＡ＋βＢであり、αがＡの重み係数であり、βがＢの重み係数であり（α、βが需要に応じて調整されることができる）、さらに総合的な色温度値Ｍと予め設定されたアルゴリズムに基づいてホワイトバランスを調整する。または、前記カスタム色温度値選択ボックスが少なくとも２つであり、各選択ボックスによって限定された領域の画像の色温度値がそれぞれＡ、Ｂ．．．．であると、総合的な色温度値Ｍ＝αＡ＋βＢ＋．．．であり、さらに総合的な色温度値Ｍと予め設定されたアルゴリズムに基づいてホワイトバランスを調整する。
【００４５】
前記ホワイトバランス調整方法は、さらに相応してＩＳＯ、露出補正、マニュアルフォーカス、マニュアル露出時間調整、コントラスト、彩度、シャープネスなどのパラメータ調整に応用されることができる。
【００４６】
これにより、本発明によるホワイトバランス調整方法は、ユーザのカスタム色温度値を取得し、ユーザのカスタム色温度値に基づいてホワイトバランスを調整することにより、ユーザが自分の好みに応じて様々なホワイトバランスの効果を調整し、さらにパーソナライズされた、様々な効果を有する撮影作品を撮影することができ、ユーザのパーソナライズ需要を満たす。ユーザは、さらに現在の調整されたホワイトバランスをロックでき、撮影装置は、当該ホワイトバランスを記憶し、自動的に他の撮影環境に応用し、さらに特殊な写真効果を取得でき、これにより、ユーザは、自分の需要に応じて独特の芸術的効果を有する撮影作品を取得することができ、ユーザ体験を大幅に向上させる。
【００４７】
図６、図７を参照し、本発明によるホワイトバランス調整装置の一つの実施形態が提案される。前記ホワイトバランス調整装置は、カメラ、携帯電話、タブレットコンピュータなどの撮影装置に応用されることができ、取得モジュール、調整モジュールとキャリブレートモジュールを含む。
【００４８】
取得モジュールは、現在の環境を自動的に検出して取得された色温度値、ユーザのカスタム色温度値および予め設定された色温度値が含まれる色温度値を取得するように設定される。本発明のホワイトバランス調整モードが自動調整モード、予め設定された環境モードとユーザのカスタムモードを含み、ユーザが自動モードを選択してホワイトバランスを調整する場合、取得モジュールは、現在の環境を自動的に検出して色温度値を取得し、ユーザがユーザのカスタムモードを選択してホワイトバランスを調整する場合、取得モジュールは、ユーザのカスタム色温度値を取得し、ユーザが予め設定された環境モードを選択してホワイトバランスを調整する場合、取得モジュールは、ローカルに記憶された予め設定された環境の色温度値を取得する。
【００４９】
調整モジュールは、取得モジュールにより取得された色温度値と予め設定されたアルゴリズムに基づいてホワイトバランスを調整するように設定される。取得モジュールがユーザのカスタム色温度値を取得した場合、調整モジュールは、ユーザのカスタム色温度を基準色温度とし、予め設定されたアルゴリズムに基づいてホワイトバランスを調整する。それによって、ユーザは、自分の好みに応じて様々なホワイトバランス効果を調整し、さらに様々な効果がある撮影作品を撮影することができる。
【００５０】
好ましくは、調整モジュールは、さらに調整されたホワイトバランスをロックし、当該ホワイトバランス値を自動的に他の撮影環境に応用するように設定されることができ、これにより、ホワイトバランスが環境変化に伴って変化しない。ユーザが自動モード、予め設定された環境モードまたはユーザのカスタムモードによりホワイトバランスを調整した後、調整モジュールは、ユーザの需要に応じて調整されたホワイトバランスをロックすることができる。ホワイトバランスロック機能により、特殊な写真効果を取得することができ、これにより、ユーザは、自分の需要に応じて独特の芸術的効果を有する撮影作品を取得することができる。
【００５１】
キャリブレートモジュールは、取得モジュールにより取得された白色または灰色色温度値に基づいて、ホワイトバランスの精度をキャリブレートし、そしてキャリブレートされたパラメータを調整モジュールに送信するように設定される。外部の複雑な環境要因の影響を受けるので、撮影装置のホワイトバランスの精度がある時に精確ではなく、キャリブレートモジュールによりホワイトバランスの精度をキャリブレートした後、調整モジュールにより調整されたホワイトバランスがより精確であり、撮影効果がより良い。
【００５２】
図７に示すように、取得モジュールは、表示ユニットと検出ユニットを含む。
表示ユニットは、ホワイトバランス調整インターフェイスを表示するように設定される。図２、図４、図５に示すように、ホワイトバランス調整インターフェイスは、ユーザが選択するように様々なホワイトバランス調整モードを表示し、自動調整モード、予め設定された環境モードとユーザのカスタムモードを含む。自動調整モードと予め設定された環境モードは、従来技術における一般的なモードであり、予め設定された環境モードが白熱光モード、日光モード、蛍光モードと曇りモードを含む。ユーザのカスタムモードは、スポット測定モードと手動モードを含み、ユーザが自分で特定の色温度値を入力してホワイトバランスを調整することを許可し、ユーザは、対応するボタンをタッチまたはクリックして様々なホワイトバランス調整モードを選択する。
【００５３】
図２に示すように、ユーザが手動モードを選択した後、表示ユニットは、すぐにカスタム色温度値入力インターフェイスを表示し、前記カスタム色温度値入力インターフェイスが色温度調整プログレスバーである。いくつかの実施形態において、カスタム色温度値入力インターフェイスは、色温度値入力ボックスであってもよい。カスタム色温度値入力インターフェイスが色温度調整プログレスバーである場合、ユーザは、プログレスバーにおけるボタンを引いて色温度値を増減し、またはプログレスバーのある位置をタッチまたはクリックして色温度値を選択することができる。カスタム色温度値入力インターフェイスが色温度値入力ボックスである場合、ユーザは、直接に入力ボックスに色温度値を入力することができる。
【００５４】
図４に示すように、ユーザがスポット測定モードを選択した後、表示ユニットは、すぐに画像プレビューウィンドウにカスタム色温度値選択ボックスを表示し、図示される選択ボックスがひし形を呈し、円形、多角形、三角形、矩形などの形状を呈することもできる。ユーザは、選択ボックス全体をドラッグしてプレビューウィンドウで移動して選択領域を変更することができ、選択ボックスのサイズを変更して選択領域を大きくまたは小さくすることもできる。
【００５５】
図５に示すように、測定ボタンをタッチまたはクリックした後、表示ユニットは、キャリブレートインターフェイスを表示し、図面にダイアログボックスがポップアップされ、レンズを白い紙、グレーカードまたは白い物体にアラインメントさせるようにユーザに通知し、測定ボタンを表示し、ユーザが準備した後に測定ボタンをクリックすることができ、すぐにキャリブレートユニットは、ホワイトバランスの精度をキャリブレートする。
【００５６】
検出ユニットは、現在の環境を検出して取得された色温度値とユーザが定義して入力した色温度値が含まれる色温度値を検出するように構成される。ユーザが自動モードを選択してホワイトバランスを調整する場合、検出ユニットは、現在の環境の色温度値を自動的に検出する。ユーザがユーザのカスタムモードを選択してホワイトバランスを調整する場合、検出ユニットは、ユーザが定義して入力した色温度値を検出する。例えば、ユーザが自動モードを選択した場合、検出ユニットは、ユーザがカスタム色温度値入力インターフェイスに入力した色温度値を検出し、ユーザが色温度調整プログレスバーに選択した色温度値またはユーザが色温度値入力ボックスに入力した色温度値などを含む。ユーザがスポット測定モードを選択する場合、検出ユニットは、スタム色温度値選択ボックスによって限定されたスクリーン領域を検出し、前記スクリーン領域の画像の色温度値を取得し、前記スクリーン領域の画像が撮影装置により撮影されたプレビュー画像または撮影装置ローカルに記憶されたピクチャーがプレビューウィンドウに表示される画像であってよい。
【００５７】
本発明によるホワイトバランス調整装置は、ユーザのカスタム色温度値を取得し、調整モジュールがユーザのカスタム色温度値に基づいてホワイトバランスを調整することにより、ユーザが自分の好みに応じて様々なホワイトバランスの効果を調整し、さらにパーソナライズされた、様々な効果を有する撮影作品を撮影することができ、ユーザのパーソナライズ需要を満たす。調整モジュールは、さらにユーザの需要に応じて現在の調整されたホワイトバランスをロックし、当該ホワイトバランスを自動的に他の撮影環境に応用することができ、さらに特殊な写真効果を取得することができ、これにより、ユーザは、自分の需要に応じて独特の芸術的効果を有する撮影作品を取得することができ、ユーザ体験を大幅に向上させる。
【００５８】
前記ホワイトバランス調整方法および装置は、以下の実例をさらに含むことができる。
【００５９】
実例１：
ホワイトバランス調整装置は、表示ユニットモジュール、受信ユニットモジュール、および処理ユニットモジュールを含む。
【００６０】
表示ユニットモジュールは、画像を表示するように構成され、画像が撮影装置のカメラにより取り込まれた画像、カメラにより受信された画像、またはホワイトバランス調整装置に記憶された画像であってよい。ここでの画像は、ビデオであってもよく、画像と総称される。カメラは、１つ、または２つ、または２つ以上であってよい。前記カメラは、前記ホワイトバランス調整装置の外部に設置される。前記カメラは、フロントカメラ、またはリアカメラであってよく、独立したカメラであってもよく、データ線を介して表示ユニットモジュールと互いに接続する。
【００６１】
表示ユニットモジュールは、ＬＣＤまたはＯＬＥＤディスプレイであってよい。
表示ユニットモジュールに表示された画像は、１枚であってよく、複数枚であってもよい。例えば、表示スクリーンに表示された画像は、１枚、２枚、または複数枚である。
【００６２】
受信ユニットモジュールは、表示ユニットモジュールに表示された画像に対する操作命令を受信するように構成され、命令がジェスチャー操作命令であってよく、サウンド制御／音声の命令、またはタッチして入力された命令であってもよい。前記命令は、表示された選択パターンをドラッグまたはクリックして色温度基準位置を選択する命令、または表示された画像を直接にクリックして色温度基準位置を選択する命令を含む。受信ユニットモジュールは、マウス、キーボード、マイク、タッチパッド、投影装置、または前者の様々な組み合わせであってよい。
【００６３】
処理ユニットモジュールは、受信ユニットモジュールにより受信された命令に応じて、色温度基準位置を選択するように構成され、前記色温度基準位置のサイズが調整されることができる。タッチして入力された命令は、画像を表示する表示ユニットモジュールのスクリーンに手でタッチし、色温度基準位置を選択するためのものである。その後、色温度基準位置によってカバーされた画像の色温度値を取得し、前記色温度値と予め設定されたアルゴリズムに基づいてホワイトバランスを調整する。
【００６４】
例えば、表示ユニットモジュールのスクリーンにカメラから伝送された第一の画像が表示されている。
【００６５】
ユーザは、指で表示ユニットモジュールのスクリーンの上に操作する。例えば、第一の画像に、選択パターンを指でドラッグし、前記選択パターンがひし形、円形、三角形、矩形などを呈することができる。受信ユニットモジュールは、ユーザが第一の画像に対して選択画像をドラッグする操作命令を受信し、当該命令に応じて色温度基準位置を選択する。その後、色温度基準位置によってカバーされた画像の色温度値に基づいてホワイトバランスを調整する。
【００６６】
次に、表示ユニットモジュールのスクリーンにカメラから伝送された第二の画像が表示されている。第二の画像は、第一の画像と連写関係がある。
【００６７】
処理ユニットモジュールは、第一の画像における色温度基準位置の色温度値を第二の画像の基準色温度値に設定し、当該基準色温度値に基づいてホワイトバランス調整を行う。
【００６８】
好ましくは、連続して連写して出現する第三の画像、第四の画像……．などは、すべて第一の画像における色温度基準位置の色温度値を使用し、自体の基準色温度値に設定し、ホワイトバランス調整を行う。
【００６９】
実例２：
実例２は、実例１と基本的に同じであるが、その違いが次の通りである。
実例１において連写する場合、その後の画像は、第一の画像における色温度基準位置の色温度値を使用し、自体の基準色温度値に設定し、ホワイトバランス調整を行う。
【００７０】
しかしながら、実例２において、連写する場合、その後の画像は、すべて第一の画像における色温度基準位置を自体の色温度基準位置とし、自体の色温度基準位置の色温度値に基づいて、ホワイトバランス調整を行う。
【００７１】
実例３：
実例３は、実例１と基本的に同じであるが、その違いが次の通りである。
【００７２】
実例１において連写する場合、その後の画像は、すべて第一の画像における色温度基準位置の色温度値を使用し、自体の色温度値に設定し、撮影する。
【００７３】
しかしながら、実例３において、第一の画像がｍ枚であり、第二の画像がｎ枚である。ｍ、ｎのうちの少なくとも一つが２以上の整数である。第一の画像と第二の画像は、連写関係があり、第一の画像は、同じ位置に基づいて撮影された若干の画像であり、第二の画像が同じ位置に基づいて撮影された若干の画像である。第一の画像の数が２枚以上であると、各枚の第一の画像の色温度基準位置は、異なる。または、第二の画像の数が２枚以上であると、各枚の第二の画像の色温度基準位置は、異なる。
【００７４】
第一の画像におけるｍ枚の画像において、それぞれは、選択パターンを指でドラッグし、色温度基準位置を選択し、色温度基準位置の色温度値に基づいてホワイトバランス調整を行い、その後撮影した画像である。
【００７５】
第二の画像におけるｎ枚の画像において、それぞれは、選択パターンを指でドラッグし、色温度基準位置を選択し、色温度基準位置の色温度値に基づいてホワイトバランス調整を行い、その後撮影した画像である。
【００７６】
処理ユニットモジュールは、ｍ枚の第一の画像のうちの１枚、ｎ枚の第二の画像のうちの１枚を選択してマッチングして、連写効果があるピクチャーを形成する。
好ましくは、処理ユニットモジュールは、ｍ枚の第一の画像とｎ枚の第二の画像との予め設定された関数に合致する２枚のピクチャーに基づいてマッチングすることができる。
【００７７】
好ましくは、処理ユニットモジュールは、ｍ枚の第一の画像とｎ枚の第二の画像との輝度値またはホワイトバランス効果が一致する２枚のピクチャーに基づいてマッチングすることができる。
【００７８】
好ましくは、処理ユニットモジュールは、ｍ枚の第一の画像とｎ枚の第二の画像との輝度重み付き値またはホワイトバランスパラメータ重み付き値が一致する２枚のピクチャーに基づいてマッチングすることができる。
【００７９】
実例４：
ホワイトバランス調整方法は、以下のステップを含む。
【００８０】
ステップＳ１：第一の画像を表示する。
ここで、第一の画像は、カメラにより取り込まれた画像、カメラにより受信された画像、または撮影装置に記憶された画像であってよい。
【００８１】
ステップＳ２：表示された第一の画像に対する操作命令を受信する。
ここで、前記命令は、色温度基準位置選択命令を含む。
【００８２】
ステップＳ３：受信された命令に応じて、第一の画像の色温度基準位置を選択し、第一の画像における色温度基準位置の色温度値を選択し、第一の画像における色温度基準位置の色温度値に基づいて、ホワイトバランス調整を行う。
【００８３】
ステップＳ４：第一の画像における色温度基準位置の色温度値に基づいて、第二の画像の撮影を行う。
ここで、受信された色温度基準位置選択命令に応じて、色温度基準位置を選択する。前記色温度基準位置選択ステップは、表示された選択パターンをドラッグまたはクリックし、色温度基準位置を選択すること、および／または表示された画像を直接にクリックし、色温度基準位置を選択することをさらに含む。
【００８４】
他の実例において、第一の画像または第二の画像における色温度基準位置は、少なくとも２つである。
【００８５】
実例５：
ホワイトバランス調整方法は、以下のステップを含む。
【００８６】
ステップ１：画像を表示する。
ここで、画像は、カメラにより取り込まれた画像、カメラにより受信された画像、または撮影装置に記憶された画像であってよい。
【００８７】
ステップ２：表示された画像に対する操作命令を受信し、表示された画像が第一の画像と第二の画像を含む。
ここで、前記命令は、色温度基準位置選択命令を含む。
【００８８】
ステップ３：受信された命令に応じて、第一の画像の色温度基準位置と第二の画像の色温度基準位置を選択し、かつ第一の画像のうちの１枚の画像、第二の画像のうちの１枚の画像を選択してマッチングし、連写効果があるピクチャーを形成する。
【００８９】
第一の画像がｍ枚であり、第二の画像がｎ枚である。ｍ、ｎのうちの少なくとも一つが２以上の整数である。第一の画像と第二の画像は、連写関係があり、第一の画像が同じ位置に基づいて撮影された若干の画像であり、第二の画像が同じ位置に基づいて撮影された若干の画像である。第一の画像の数が２枚以上であると、各枚の第一の画像の色温度基準位置は、異なる。または、第二の画像の数が２枚以上であると、各枚の第二の画像の色温度基準位置は、異なる。
【００９０】
第一の画像のうちのｍ枚の画像において、それぞれは、選択パターンを指でドラッグし、色温度基準位置を選択し、撮影した画像である。
【００９１】
第二の画像のうちのｎ枚の画像において、それぞれは、選択パターンを指でドラッグし、色温度基準位置を選択し、撮影した画像である。
【００９２】
処理ユニットモジュールは、ｍ枚の第一の画像のうちの１枚、ｎ枚の第二の画像のうちの１枚を選択してマッチングし、連写効果があるピクチャーを形成する。
【００９３】
好ましくは、処理ユニットモジュールは、ｍ枚の第一の画像とｎ枚の第二の画像との予め設定された関数に合致する２枚のピクチャーに基づいてマッチングすることができる。
【００９４】
好ましくは、処理ユニットモジュールは、ｍ枚の第一の画像とｎ枚の第二の画像との平均輝度値とホワイトバランス効果が一致する２枚のピクチャーに基づいてマッチングすることができる。
【００９５】
好ましくは、処理ユニットモジュールは、ｍ枚の第一の画像とｎ枚の第二の画像との輝度重み付き値とホワイトバランスパラメータ重み付き値が一致する２枚のピクチャーに基づいてマッチングすることができる。
【００９６】
同様に、前記ホワイトバランス調整方法は、さらに相応してＩＳＯ、露出補正、マニュアルフォーカス、マニュアル露出時間調整、コントラスト、彩度、シャープネスなどのパラメータの調整に応用することができる。
【００９７】
本発明の実施形態によれば、ユーザは、本発明を採用して連写して画像を構成する場合、連写された画像同士が密接な関係があるので、連写された画像をよくマッチングすることができ、画像の表示品質を向上させる。
【００９８】
本分野の当業者は、前記実施形態の方法のうちのすべてまたは一部のステップを実現することがプログラムにより関連するハードウェアを制御することで完了されることができ、前記プログラムがコンピュータ可読記憶媒体に記憶されることができ、前記記憶媒体がＲＯＭ／ＲＡＭ、磁気ディスク、光ディスクなどであってよいことを理解できる。
【００９９】
以上に図面を参照して本発明の好ましい実施形態を説明したが、そのために本発明の特許要求の範囲を制限しない。本分野の当業者にとって、本発明の範囲および精神から逸脱することなく、本発明は、様々な変形が可能であり、例えば、一つの実施形態の特徴として別の実施形態に応用されて別の実施形態を得る。技術的思想を適用して行ういかなる改修、同等入れ替わり、改良等が、本発明の特許要求の範囲以内に含まれるべきである。
【産業上の利用可能性】
【０１００】
本発明によるホワイトバランス調整方法および装置において、ユーザのカスタム色温度値を取得し、ユーザのカスタム色温度値に基づいてホワイトバランスを調整することにより、ユーザは、自分の好みに応じて様々なホワイトバランス効果を調整し、さらにパーソナライズされた、様々な効果を有する撮影作品を撮影することができ、ユーザのパーソナライズ需要を満たす。ユーザは、さらに現在の調整されたホワイトバランスをロックすることができ、撮影装置が当該ホワイトバランスを記憶し、自動的に他の撮影環境に応用し、さらに特殊な写真効果を取得でき、これによりユーザが自分の需要に応じて独特の芸術的効果を有する撮影作品を取得することができ、ユーザ体験を大幅に向上させる。
【図１】
0006368361.tif 000002
【図２】
0006368361.tif 000003
【図３】
0006368361.tif 000004
【図４】
0006368361.tif 000005
【図５】
0006368361.tif 000006
【図６】
0006368361.tif 000007
【図７】
0006368361.tif 000008